(57)【要約】【課題】レンズ鏡筒を駆動するモータの電源供給用配線パターンが配線された基板にマイク信号用配線パターンを電源供給用配線パターンのノイズの影響を受けることなく低コストで配線することができる仕組みを提供する。【解決手段】デジタルカメラは、レンズ鏡筒３と、レンズ鏡筒３を駆動するモータと、マイクが実装されると共に、モータに電源を供給する電源供給用配線パターン、及びマイクのマイク信号用配線パターンが配線された鏡筒フレキシブル配線基板４２と、マイク信号を処理するオーディオ回路ブロック４７、及びレンズ鏡筒の駆動を制御する鏡筒駆動回路ブロック４９が実装されたメイン配線基板６と、を備える。マイク信号用配線パターンと電源供給用配線パターンとは、鏡筒フレキシブル配線基板４２の中央部から互いに離れる方向に延びて配線されて、それぞれ異なる配線経路でメイン配線基板６に接続される。【選択図】図４
2012124705.tif 000002
【特許請求の範囲】
【請求項１】
レンズ鏡筒と、
前記レンズ鏡筒を駆動するモータと、
マイクが実装されると共に、前記モータに電源を供給する電源供給用配線パターン、及び前記マイクのマイク信号用配線パターンが配線された鏡筒フレキシブル配線基板と、
マイク信号を処理するオーディオ回路ブロック、及び前記レンズ鏡筒の駆動を制御する鏡筒駆動回路ブロックが実装されたメイン配線基板と、を備え、
前記マイク信号用配線パターンと前記電源供給用配線パターンとは、前記鏡筒フレキシブル配線基板の中央部から互いに離れる方向に延びて配線されて、それぞれ異なる配線経路で前記メイン配線基板に接続されることを特徴とする電子機器。
【請求項２】
前記マイク信号用配線パターンは、前記メイン配線基板の背面側上部に接続され、
前記電源供給用配線パターンは、前記メイン配線基板の背面側下部に接続されることを特徴とする請求項１に記載の電子機器。
【請求項３】
前記メイン配線基板の前記マイク信号用配線パターンが接続される部分の近傍に、前記オーディオ回路ブロックが配置され、
前記メイン配線基板の前記電源供給用配線パターンが接続される部分の近傍に、前記鏡筒駆動回路ブロックが配置されることを特徴とする請求項１又は２に記載の電子機器。
【請求項４】
前記マイク信号用配線パターンには、マイク信号出力パターン、及びマイクグランドパターンが配線されることを特徴とする請求項１乃至３のいずれか一項に記載の電子機器。
【請求項５】
前記マイクは、シリコンマイクであることを特徴とする請求項１乃至４のいずれか一項に記載の電子機器。
【発明の詳細な説明】
【技術分野】
【０００１】
本発明は、デジタルカメラやビデオカメラ、カメラ付携帯電話等の録音機能を有する電子機器に関する。
【背景技術】
【０００２】
デジタルカメラやビデオカメラ、カメラ付携帯電話等の録音機能を有する電子機器では、機器の内部にマイクが組み込まれ、マイクは、基板に実装されたオーディオ回路ブロックにケーブルあるいはフレキシブル配線基板等を介して接続される。機器内部には、レンズ鏡筒を駆動させるためのモータが配置されており、モータへの電源供給用配線はマイク信号に対する電気的なノイズ源の一つになっている。そのため、マイクのケースに対してシールドを行う技術（特許文献１）や、差動アンプを用いてノイズをキャンセルする技術が提案されている（特許文献２）。
【先行技術文献】
【特許文献】
【０００３】
【特許文献１】特開平１１−１５５１９７号公報
【特許文献２】特開２００５−２５２９４５号公報
【発明の概要】
【発明が解決しようとする課題】
【０００４】
ところで、機器の小型化が進むにつれ、ユーザが把持するグリップ部にマイクを配置すると、手でマイクを塞いでしまうおそれがある。このため、マイクは、レンズ鏡筒の周囲に配置される場合が多く、マイクとレンズ鏡筒との距離が近づいている。従って、マイク信号用配線パターンとモータの電源供給用配線パターンとが近接して配置された場合、電源供給用配線パターンからの電気的なノイズがマイク信号に重畳しやすくなる。
【０００５】
しかし、上記特許文献１では、メイン配線基板に接続されるマイクの配線に対する考慮がなされていない。また、上記特許文献２では、差動回路の追加によるコストアップが懸念される。
【０００６】
そこで、本発明は、レンズ鏡筒を駆動するモータの電源供給用配線パターンが配線された基板にマイク信号用配線パターンを電源供給用配線パターンのノイズの影響を受けることなく低コストで配線することができる仕組みを提供することを目的とする。
【課題を解決するための手段】
【０００７】
上記目的を達成するために、本発明の電子機器は、レンズ鏡筒と、前記レンズ鏡筒を駆動するモータと、マイクが実装されると共に、前記モータに電源を供給する電源供給用配線パターン、及び前記マイクのマイク信号用配線パターンが配線された鏡筒フレキシブル配線基板と、マイク信号を処理するオーディオ回路ブロック、及び前記レンズ鏡筒の駆動を制御する鏡筒駆動回路ブロックが実装されたメイン配線基板と、を備え、前記マイク信号用配線パターンと前記電源供給用配線パターンとは、前記鏡筒フレキシブル配線基板の中央部から互いに離れる方向に延びて配線されて、それぞれ異なる配線経路で前記メイン配線基板に接続されることを特徴とする。
【発明の効果】
【０００８】
本発明によれば、レンズ鏡筒を駆動するモータの電源供給用配線パターンが配線された基板にマイク信号用配線パターンを電源供給用配線パターンのノイズの影響を受けることなく低コストで配線することができる。
【図面の簡単な説明】
【０００９】
【図１】本発明の電子機器の第１の実施形態であるデジタルカメラを正面側から見た分解斜視図である。
【図２】図１に示すデジタルカメラを背面側から見た分解斜視図である。
【図３】レンズ鏡筒とメイン配線基板との組立ユニットを正面側から見た斜視図である。
【図４】図３に示す組立ユニットを背面側から見た斜視図である。
【図５】鏡筒フレキシブル配線基板、シャッターフレキシブル配線基板、及び手ぶれ補正用フレキシブル配線基板を上方から見た分解斜視図である。
【図６】図５を下方から見た分解斜視図である。
【図７】鏡筒フレキシブル配線基板の部品面配線展開図である。
【図８】鏡筒フレキシブル配線基板の半田面配線展開図（透視図）である。
【図９】（ａ）は図７のマイク信号配線部の拡大図、（ｂ）は図８のマイク信号配線部の拡大図である。
【図１０】本発明の電子機器の第２の実施形態であるデジタルカメラにおいて、鏡筒フレキシブル配線基板、シャッターフレキシブル配線基板、及び手ぶれ補正用フレキシブル配線基板を上方から見た分解斜視図である。
【図１１】鏡筒フレキシブル配線基板の部品面配線展開図である。
【図１２】鏡筒フレキシブル配線基板の半田面配線展開図（透視図）である。
【発明を実施するための形態】
【００１０】
以下、本発明の実施形態を図面を参照して説明する。
【００１１】
（第１の実施形態）
図１は本発明の電子機器の第１の実施形態であるデジタルカメラを正面側から見た分解斜視図、図２は図１に示すデジタルカメラを背面側から見た分解斜視図である。
【００１２】
図１及び図２に示すように、本実施形態のデジタルカメラは、正面カバー１と背面カバー２との間に、レンズ鏡筒３、シャーシ４及び液晶パネル４１が正面側から背面側に向けて配置されている。
【００１３】
レンズ鏡筒３の正面側（被写体側）から見て左側の側部には、電池１５を収納する電池ケース５が配置され、電池ケース５の背面側には、メイン配線基板６が配置されている。レンズ鏡筒３、電池ケース５及びメイン配線基板６は、それぞれねじ等を介してシャーシ４に固定される。
【００１４】
メイン配線基板６には、ＣＰＵやメモリ、レンズ鏡筒駆動回路、オーディオ回路、電源回路等が実装され、背面側には、映像や音声を保存する外部メモリであるメモリーカード７のカードスロット及びＨＤＭＩコネクタ８が実装されている。電池ケース５の前面には、放熱板１４が配置され、電池ケース５及びカードスロットの底部には、電池蓋２１が開閉自在に設けられている。電池蓋２１の開閉により、電池１５及びメモリーカード７が出し入れ可能とされている。
【００１５】
また、電池ケース５に設けられた凹部５ａには、ジャック配線基板３３に実装されたＵＳＢコネクタ３４が嵌め込まれており、ＵＳＢコネクタ３４は、ねじ等により電池ケース５に固定される。側面カバー３５は、デジタルカメラを正面側（被写体側）から見て左側の側部の外装を形成し、ストラップ紐を通すためのストラップリング３７とともにねじ等によりシャーシ４に固定される。側面カバー３５には、ＵＳＢコネクタ３４およびＨＤＭＩコネクタ８をカバーするためのジャックカバー３６を収納する凹部３５ａが設けられている。
【００１６】
また、メイン配線基板６の上部には、上面フレキシブル配線板９がコネクタ接続され、上面フレキシブル配線板９には、電源コネクタ１０が実装されている。上面フレキシブル配線板９を経由して電源がメイン配線基板６の電源回路ブロックへと送られる。また、上面フレキシブル配線板９には、レリーズスイッチ１１、電源スイッチ１２、及びＡＦ補助光ＬＥＤ１３が実装されている。
【００１７】
上面フレキシブル配線板９の上面側には、上面カバー１６が配置され、上面カバー１６には、ズームレバー１７、レリーズボタン１８、電源ボタン１９、及びモードダイアル２０が保持されている。
【００１８】
レンズ鏡筒３の正面側（被写体側）から見て右側の側部には、ストロボユニット２２が配置されている。ストロボユニット２２は、ポップアップ式のストロボ発光部２３、メインコンデンサ２４、及びスピーカ２６を備える。
【００１９】
メインコンデンサ２４の背面側には、ストロボ回路を実装したストロボ配線基板２５が固定されている。ストロボ配線基板２５には、スピーカ２６のスピーカケーブルが半田付けされる。
【００２０】
そして、ストロボユニット２２は、レンズ鏡筒３の正面側（被写体側）から見て右側に組み付けられた超音波モータ２７の上方に配置され、ねじ等によりレンズ鏡筒３に固定される。また、側面カバー３９は、デジタルカメラを正面側（被写体側）から見て右側の側部の外装を形成し、ねじ等によりシャーシ４に固定される。
【００２１】
液晶パネル４１の側部には、背面操作フレキシブル配線板３０が接続されており、背面操作フレキシブル配線板３０には、再生ボタン３１などの操作ボタンや回転操作モジュール３２が実装されている。回転操作モジュール３２は、背面操作フレキシブル配線板３０とともにシャーシ４に固定される。
【００２２】
レンズ鏡筒３の正面側（被写体側）から見て左側には、マイク２９が配置され、右側には、マイク２８が配置されている。ここで、本実施形態では、マイク２８，２９のうち、少なくともマイク２８は、電源が必要なシリコンマイクとされている。
【００２３】
図３はレンズ鏡筒３とメイン配線基板６との組立ユニットを正面側から見た斜視図、図４は図３に示す組立ユニットを背面側から見た斜視図である。
【００２４】
図３及び図４において、鏡筒フレキシブル配線基板４２は、レンズ鏡筒３の外周部及び背面部に沿って配置される。鏡筒フレキシブル配線基板４２には、レンズ鏡筒３を駆動するための電源供給用配線パターン、レンズ鏡筒３の繰り出し位置を検出するセンサ６１，６２，６３（図７参照）の信号線、レンズ鏡筒３の温度を計測するサーミスタ（不図示）の信号線が配線される。また、鏡筒フレキシブル配線基板４２には、マイク２８が実装されるとともに、マイク２８の信号線も配線されている。
【００２５】
撮像フレキシブル配線基板４３は、レンズ鏡筒３の背面側に配置されて、メイン配線基板６とコネクタを介して接続され、不図示の撮像素子から出力された撮像信号をメイン配線基板６へ送出する。鏡筒フレキシブル配線基板４２とメイン配線基板６との接続は、撮像フレキシブル配線基板４３の上下２箇所で行われる。
【００２６】
マイク信号用コネクタ端子部４４は、鏡筒フレキシブル配線基板４２に配線されたマイク２８の信号線をメイン配線基板６へ接続するための端子部であり、メイン配線基板６のマイク信号用コネクタ４５に接続される。鏡筒信号用コネクタ４６は、鏡筒フレキシブル配線基板４２に配線された電源供給用配線パターンやセンサ６１，６２，６３の信号線等をメイン配線基板６の鏡筒信号用コネクタ４８に接続する。
【００２７】
メイン配線基板６のマイク信号用コネクタ４５の近傍には、マイク信号を処理するオーディオ回路ブロック４７が配置されている。このように、メイン配線基板６のマイク信号用コネクタ４５の近傍にオーディオ回路ブロック４７を配置することで、メイン配線基板６に実装された他の回路ブロックからのノイズの混入を防ぐことができる。
【００２８】
メイン配線基板６の鏡筒信号用コネクタ４８の近傍には、鏡筒駆動回路ブロック４９が配置されている。鏡筒駆動回路ブロック４９によりレンズ鏡筒３を駆動するモータに必要な電圧の電源が鏡筒フレキシブル配線基板４２に供給され、レンズ鏡筒３の繰出しや沈胴など動作の制御が行われる。
【００２９】
モータの制御には、ＰＷＭ（Ｐｕｌｓｅ  Ｗｉｄｔｈ  Ｍｏｄｕｌａｔｉｏｎ）制御が用いられ、数十ｋＨｚの高周波パルス電圧がモータに印加される。また、鏡筒駆動回路ブロック４９はスイッチング回路を有しており、スイッチング周波数の周期と通電時間により回転速度の制御を行っている。超音波モータ２７においても、駆動時に圧電素子を超音波振動させるため高い周波数のパルスが発生する。
【００３０】
図５は鏡筒フレキシブル配線基板４２、シャッターフレキシブル配線基板５０、及び手ぶれ補正用フレキシブル配線基板５４を上方から見た分解斜視図、図６は図５を下方から見た分解斜視図である。
【００３１】
シャッターフレキシブル配線基板５０は、シャッターと絞り羽根を駆動するモータ５１に電源供給用配線パターンが接続される。シャッター用コネクタ端子部５２は、鏡筒フレキシブル配線基板４２に実装されたシャッター用コネクタ５３に接続される。
【００３２】
手ぶれ補正用フレキシブル配線基板５４は、手ぶれ補正用レンズを保持する手ぶれ補正ユニットに接続されており、手ぶれ補正機構を駆動させるため電磁石のコイル５５に電源供給用配線パターンが接続される。
【００３３】
また、手ぶれ補正用フレキシブル配線基板５４には、ホール素子が実装されており、磁気を検知することで手ぶれ補正ユニットの位置検出を行う。手ぶれ補正用コネクタ端子部５６は、鏡筒フレキシブル配線基板４２に実装された手ぶれ補正用コネクタ５７に接続される。
【００３４】
超音波モータ用フレキシブル配線基板５８には、レンズ鏡筒３をズーム動作させる超音波モータ２７を駆動するための電源供給用配線パターンが配線されている。超音波モータ用コネクタ端子部５９は、鏡筒フレキシブル配線基板４２に実装された超音波モータ用コネクタ６０に接続される。センサ６１，６２，６３は、本実施形態では、フォトインタラプタで構成され、レンズ鏡筒３の駆動位置を検出する。
【００３５】
シャッターフレキシブル配線基板５０、手ぶれ補正用フレキシブル配線基板５４、及び超音波モータ用フレキシブル配線基板５８が接続される鏡筒フレキシブル配線基板４２のコネクタ５３，５７，６０は、レンズ鏡筒３の周方向の下側に配置される。そして、鏡筒フレキシブル配線基板４２の鏡筒信号用コネクタ４６がメイン配線基板６の背面側下部に配置された鏡筒信号用コネクタ４８に接続される。このため、コネクタ５３，５７，６０とメイン配線基板６の鏡筒信号用コネクタ４８近傍に配置された鏡筒駆動回路ブロック４９との距離も短くて済み、送電ロスを抑えることができる。
【００３６】
図７は鏡筒フレキシブル配線基板４２の部品面配線展開図、図８は鏡筒フレキシブル配線基板４２の半田面配線展開図（透視図）である。図９（ａ）は図７のマイク信号配線部の拡大図、図９（ｂ）は図８のマイク信号配線部の拡大図である。
【００３７】
図７及び図９（ａ）に示すように、部品面マイク信号用配線パターン領域１０１ａには、マイク信号出力パターン１０１ｃ及びマイクグランドパターン１０１ｄ，１０１ｅが配線され、マイク２８の電源パターンが配線される。マイク信号出力パターン１０１ｃの裏面には、図８及び図９（ｂ）に示すように、半田面マイク信号用配線パターン領域１０１ｂが配置されている。
【００３８】
半田面マイク信号用配線パターン領域１０１ｂには、マイクグランドパターン１０１ｆが配線されており、これにより、メイン配線基板６や外部からの電気的なノイズの影響を受けないようにガードしている。マイク信号用配線パターン領域１０１ａ，１０１ｂは、レンズ鏡筒３の背面側上部に沿ってメイン配線基板６側に延びてマイク信号用コネクタ端子部４４がメイン配線基板６の背面側上部に配置されたマイク信号用コネクタ４５に接続される。
【００３９】
位置検出信号パターン領域１０２には、フォトインタラプタからなるセンサ６１，６２の配線パターンが配線される。位置検出信号パターン領域１０２は、鏡筒信号用コネクタ４６まで配線されて、マイク信号用配線パターン領域１０１ａ，１０１ｂに隣接して配線されるが、ノイズを出す信号ではないため問題はない。
【００４０】
ストロボ信号用コネクタ端子部１０３には、ストロボ用電源パターン１０４ａ，１０４ｂ及びストロボ発光制御信号パターン領域１０５ａ，１０５ｂが配線される。ストロボ用電源パターン１０４ａ，１０４ｂには、上面コネクタ６４が接続され、上面コネクタ６４は、上面フレキシブル配線基板９に接続される。
【００４１】
ストロボの電源は、電池と同じ電圧であるため、上面フレキシブル配線基板９は、電源コネクタ１０から直接ストロボ用電源を配線でき、送電ロスを少なくすることができる。また、ストロボ発光中は、マイク２８での録音はないため、マイク信号への影響はない。
【００４２】
シャッター用コネクタ５３には、シャッターフレキシブル配線基板５０が挿入される。シャッターパターン領域１０６ａ，１０６ｂには、シャッターを駆動するモータの電源供給用配線パターンや絞りを駆動するモータの電源供給用配線パターンなどが配線される。手ぶれ補正用コネクタ５７には、手ぶれ補正用フレキシブル配線基板５４が挿入される。手ぶれ補正信号パターン領域１０７ａ，１０７ｂには、手ぶれ補正ユニットのモータを駆動するのに必要な電源供給用配線パターンとホール素子の出力信号線等が配線される。
【００４３】
超音波モータ用コネクタ６０には、超音波モータ用フレキシブル配線基板５８が挿入される。超音波モータパターン領域１０８には、超音波モータ２７を駆動するための電源供給用配線パターンとセンサ６３の検出信号線が配線される。
【００４４】
超音波モータ２７の電源供給用配線パターンとセンサ６３の検出信号線とは、電源供給用配線パターンからセンサ６３の検出信号へのノイズ混入を防ぐためにクリアランスをとって配線されており、基板の表裏で重なって配線されないようにしている。なお、超音波モータ２７の電源供給用配線パターンとセンサ６３の検出信号線とが基板の表裏で重なる場合には、パターンを直交させることによりクロストークを防ぐことができる。
【００４５】
以上説明したように、本実施形態では、マイク信号用配線パターン領域１０１ａ，１０１ｂと電源供給用配線パターン１０６ａ，１０６ｂ，１０７ａ，１０７ｂ，１０８とが鏡筒フレキシブル配線基板４２の中央部から互いに離れる方向に延びて配線される。
【００４６】
そして、電源供給用配線パターン１０６ａ，１０６ｂ，１０７ａ，１０７ｂ，１０８は、レンズ鏡筒３の周方向の下側及び背面側下部に沿って這い回されて鏡筒信号用コネクタ４６がメイン配線基板６の背面側下部に配置された鏡筒信号用コネクタ４８に接続される。また、マイク信号用配線パターン領域１０１ａ，１０１ｂは、レンズ鏡筒３の背面側上部に沿ってメイン配線基板６側に延びてマイク信号用コネクタ端子部４４がメイン配線基板６の背面側上部に配置されたマイク信号用コネクタ４５に接続される。このため、マイク信号用配線パターン領域１０１ａ，１０１ｂと電源供給用配線パターン１０６ａ，１０６ｂ，１０７ａ，１０７ｂ，１０８とが異なる配線経路で互いに距離が離れるように配線される。
【００４７】
これにより、マイク２８での録音時にモータを駆動してレンズ鏡筒３を動作させても、電源供給用配線パターン１０６ａ，１０６ｂ，１０７ａ，１０７ｂ，１０８の電気的なノイズがマイク２８の信号に重畳するのを防ぐことができる。
【００４８】
また、本実施形態では、従来のように、電源供給用配線パターン１０６ａ，１０６ｂ，１０７ａ，１０７ｂ，１０８の電気的なノイズをキャンセルするための差動回路を必要としないため、差動回路の追加によるコストアップを回避することができる。
【００４９】
更に、鏡筒フレキシブル配線基板４２にマイク２８を実装してマイク信号用配線パターン領域１０１ａ，１０１ｂをメイン配線基板６に接続しているので、ケーブルで接続する場合に比べて配線コストを低く押さえることができる。
【００５０】
（第２の実施形態）
次に、図１０〜図１２を参照して、本発明の電子機器の第２の実施形態であるデジタルカメラについて説明する。なお、上記第１の実施形態に対して重複又は相当する部分については、各図に同一符号を付してその説明を省略する。
【００５１】
図１０は、鏡筒フレキシブル配線基板４２、シャッターフレキシブル配線基板５０、及び手ぶれ補正用フレキシブル配線基板５４を上方から見た分解斜視図である。
【００５２】
本実施形態では、鏡筒フレキシブル配線基板４２にマイク２８に加えてシリコンマイクからなるマイク２９を実装することで、ステレオ録音を可能にしている。マイク２９は、鏡筒フレキシブル配線基板４２を延長した部分４２ｃに実装され、レンズ鏡筒３を中心としてマイク２９とマイク２８とが左右に略対称になるように配置される。このようにマイク２８，２９を配置することで、撮影画像に対して左右の音の強度の差を減らすることができる。
【００５３】
図１１は鏡筒フレキシブル配線基板４２の部品面配線展開図、図１２は鏡筒フレキシブル配線基板４２の半田面配線展開図（透視図）である。
【００５４】
マイク２９の部品面マイク信号用配線パターン領域１０９ａには、マイク２８と同様に、マイク信号出力パターン及びマイクグランドパターンが配線され、マイク２９の電源パターンが配線される。マイク信号出力パターンの裏面には、半田面マイク信号用配線パターン領域１０９ｂが配置されている。半田面マイク信号用配線パターン領域１０９ｂには、マイクグランドパターンが配線されており、これにより、メイン配線基板６や外部からの電気的なノイズの影響を受けないようにガードしている。
【００５５】
マイク信号用配線パターン領域１０９ａ，１０９ｂは、マイク信号用配線パターン領域１０１ａ，１０１ｂと同様に、マイク信号用コネクタ端子部４４に接続され、マイク信号用コネクタ端子部４４は、メイン配線基板６のマイク信号用コネクタ４５に接続される。
【００５６】
また、マイク２８からマイク信号用コネクタ端子部４４までの配線長とマイク２９からマイク信号用コネクタ端子部４４までの配線長とは、略同一になるように配線されている。これにより、オーディオ回路ブロック４７でのサンプリング時に到達する左右のマイク信号に時間的なずれが生じるのを防止することができる。
【００５７】
以上説明したように、本実施形態では、鏡筒フレキシブル配線基板４２のマイク信号用配線パターン領域１０１ａ，１０１ｂ，１０９ａ，１０９ｂと電源供給用配線パターン１０６ａ，１０６ｂ，１０７ａ，１０７ｂ，１０８とが互いに離れる方向に配線される。このため、上記第１の実施形態と同様に、マイク信号用配線パターン領域１０１ａ，１０１ｂ，１０９ａ，１０９ｂと電源供給用配線パターン１０６ａ，１０６ｂ，１０７ａ，１０７ｂ，１０８とが異なる配線経路で互いに距離が離れるように配線される。
【００５８】
これにより、マイク２８，２９での録音時にモータを駆動してレンズ鏡筒３を動作させても、電源供給用配線パターン１０６ａ，１０６ｂ，１０７ａ，１０７ｂ，１０８の電気的なノイズがマイク２８，２９の信号に重畳するのを防ぐことができる。その他の構成及び作用効果は、上記第１の実施形態と同様である。
【００５９】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００６０】
３  レンズ鏡筒
６  メイン配線基板
２７  超音波モータ
２８，２９  マイク
４２  鏡筒フレキシブル配線基板
４７  オーディオ回路ブロック
４９  鏡筒駆動回路ブロック
１０１ａ，１０１ｂ  マイク信号用配線パターン領域
１０１ｃ  マイク信号出力パターン
１０１ｄ，１０１ｅ  マイクグランドパターン
１０６ａ，１０６ｂ，１０７ａ，１０７ｂ，１０８  電源供給用配線パターン
【図１】
2012124705.tif 000003
【図２】
2012124705.tif 000004
【図３】
2012124705.tif 000005
【図４】
2012124705.tif 000006
【図５】
2012124705.tif 000007
【図６】
2012124705.tif 000008
【図９】
2012124705.tif 000009
【図１０】
2012124705.tif 000010
【図７】
2012124705.tif 000011
【図８】
2012124705.tif 000012
【図１１】
2012124705.tif 000013
【図１２】
2012124705.tif 000014